(57)【特許請求の範囲】
【請求項１】
可燃性冷媒が使用される空気調和機の室内機であって、
ケーシングと、
前記ケーシングに収容された室内熱交換器と、
前記室内熱交換器の下方に配置されたドレンパンと、
前記ドレンパンの長手方向外側に配置された冷媒ガス検出センサとを備え、
前記冷媒ガス検出センサは、
前記ドレンパンと同じ高さ又は前記ドレンパンより下方、かつ、奥行方向について前記
ドレンパンと異なる位置に配置されると共に、
前記冷媒ガス検出センサは、
冷媒ガス漏れを検出する検出素子と、
前記検出素子の周囲に配置されるケース部材とを備え、
前記ケース部材は、冷媒ガスを内部に取り込むための開口を有しており、
前記開口が、前記検出素子よりも下方にあり、且つ、冷媒ガスが前記開口以外から前記ケース部材の内部に取り込まれないことを特徴とする空気調和機の室内機。
【請求項２】
前記ドレンパンは、
長手方向について、前記冷媒ガス検出センサ側の端部に排出孔を有しており、
前記ドレンパンの底部は、
長手方向について、前記冷媒ガス検出センサに近づくにつれて下方に傾斜していること
を特徴とする請求項１に記載の空気調和機の室内機。
【請求項３】
前記ドレンパンは、
底部の周囲から上方に延在した周壁部を有しており、
長手方向について、前記冷媒ガス検出センサ側の前記周壁部に、切欠きが形成されるこ
とを特徴とする請求項１又は２に記載の空気調和機の室内機。
【請求項４】
前記ケーシングに収容され、前記冷媒ガス検出センサから延びたハーネスが接続される
電装品箱を有しており、
前記ハーネスは、
前記室内熱交換器から延びた冷媒配管よりも、前記室内熱交換器の長手方向外側を引き
回されることを特徴とする請求項１−３のいずれかに記載の空気調和機の室内機。
【発明の詳細な説明】
【技術分野】
【０００１】
本発明は、可燃性冷媒が使用される空気調和機の室内機に関する。
【０００２】
従来から、可燃性冷媒が使用される空気調和機において、空気調和機の室内機に冷媒ガ
ス検出センサが取り付けられたものが知られている。
【先行技術文献】
【特許文献】
【０００３】
【特許文献１】特開２０１２−１３３４８号公報
【発明の概要】
【発明が解決しようとする課題】
【０００４】
冷媒ガス検出センサは、一般的に室内機に収容される電装品箱にハーネスを介して接続
されるが、電装品箱は、室内機内の上方に配置されることが一般的であるため、電装品箱
に接続される冷媒ガス検出センサも、室内機内の上方に配置されることが考えられる。し
かしながら、冷媒ガスの比重は空気よりも大きいので、室内熱交換器等から漏れた冷媒ガ
スは、室内熱交換器の下方に配置されるドレンパンに達したあと、ドレンパンから溢れて
ドレンパンよりも下方に流れる。そのため、冷媒ガス検出センサがドレンパンより上方に
配置される場合には、冷媒ガス漏れを検出できないおそれがある。一方で、冷媒ガス検出
センサが、ドレンパンと同じ高さ又はドレンパンより下方に配置される場合には、ドレン
パンからの凝縮水（ドレンパンから溢れた凝縮水やドレンパンで跳ねた凝縮水など）が、
冷媒ガス検出センサにかかって、冷媒ガス検出センサが故障するおそれがある。
【０００５】
そこで、本発明の目的は、冷媒ガス漏れの検出精度を向上しつつ、かつドレンパンから
の凝縮水がかかることによって冷媒ガス検出センサが故障するのを防止できる空気調和機
の室内機を提供することである。
【課題を解決するための手段】
【０００６】
第１の発明にかかる空気調和機の室内機は、可燃性冷媒が使用される空気調和機の室内機であって、ケーシングと、前記ケーシングに収容された室内熱交換器と、前記室内熱交換器の下方に配置されたドレンパンと、前記ドレンパンの長手方向外側に配置された冷媒ガス検出センサとを備え、前記冷媒ガス検出センサは、前記ドレンパンと同じ高さ又は前記ドレンパンより下方、かつ、奥行方向について前記ドレンパンと異なる位置に配置されると共に、前記冷媒ガス検出センサは、冷媒ガス漏れを検出する検出素子と、前記検出素子の周囲に配置されるケース部材とを備え、前記ケース部材は、冷媒ガスを内部に取り込むための開口を有しており、前記開口が、前記検出素子よりも下方にあり、且つ、冷媒ガスが前記開口以外から前記ケース部材の内部に取り込まれないことを特徴とする。
【０００７】
この空気調和機の室内機では、冷媒ガス検出センサが、ドレンパンと同じ高さ又はドレ
ンパンより下方に配置されるので、ドレンパンから溢れた冷媒ガスを検出できる。また、
冷媒ガス検出センサが、ドレンパンの長手方向外側かつ奥行方向についてドレンパンと異
なる位置に配置されるので、ドレンパンからの凝縮水が冷媒ガス検出センサにかかるのを
防止できる。したがって、冷媒ガス漏れの検出精度を向上しつつ、かつドレンパンからの
凝縮水がかかることによって冷媒ガス検出センサが故障するのを防止できる。
この空気調和機の室内機では、冷媒ガスをケース部材の内部に取り込むための開口が下
向きなので、開口が下向きでない場合に比べて、ドレンパンから溢れて室内機の底に滞留
した冷媒ガスを検出しやすい。また、開口が下向きなので、空調空間から吸い込んだプロ
パンや殺虫剤などの少量の異ガスを冷媒ガスと誤検出するのを防止できる。
【０００８】
第２の発明にかかる空気調和機の室内機は、第１の発明にかかる空気調和機の室内機に
おいて、前記ドレンパンは、長手方向について、前記冷媒ガス検出センサ側の端部に排出
孔を有しており、前記ドレンパンの底部は、長手方向について、前記冷媒ガス検出センサ
に近づくにつれて下方に傾斜していることを特徴とする。
【０００９】
この空気調和機の室内機では、室内熱交換器等から漏れてドレンパンに達した冷媒ガス
が、ドレンパンの底部の傾斜に沿って、冷媒ガス検出センサ側に向かって流れるので、最
初に冷媒ガスが達した位置がどこであっても、冷媒ガス検出センサで冷媒漏れを検出でき
る。そのため、冷媒ガス検出センサを複数設けなくて済む。
【００１０】
第３の発明にかかる空気調和機の室内機は、第１または第２の発明にかかる空気調和機
の室内機において、前記ドレンパンは、底部の周囲から上方に延在した周壁部を有してお
り、長手方向について、前記冷媒ガス検出センサ側の前記周壁部に、切欠きが形成される
ことを特徴とする。
【００１１】
この空気調和機の室内機では、冷媒ガス検出センサ側に形成された切欠きから、冷媒ガ
スが溢れやすくなるので、冷媒ガス漏れをより検出しやすい。
【００１２】
第４の発明にかかる空気調和機の室内機は、第１−第３のいずれかの発明にかかる空気
調和機の室内機において、前記ケーシングに収容され、前記冷媒ガス検出センサから延び
たハーネスが接続される電装品箱を有しており、前記ハーネスは、前記室内熱交換器から
延びた冷媒配管よりも、前記室内熱交換器の長手方向外側を引き回されることを特徴とす
る。
【００１３】
この空気調和機の室内機では、冷媒ガス検出センサと電装品箱とを接続するハーネスが
、室内熱交換器から延びた冷媒配管よりも、室内熱交換器の長手方向外側を引き回される
ので、室内熱交換器で生じた凝縮水がハーネスに付着するのを防止できる。その結果、ハ
ーネスに付着した凝縮水がハーネスを伝わって冷媒ガス検出センサに達し、冷媒ガス検出
センサが故障することが防止される。
【００１４】
【００１５】
【発明の効果】
【００１６】
以上の説明に述べたように、本発明によれば、以下の効果が得られる。
【００１７】
第１の発明では、冷媒ガス検出センサが、ドレンパンと同じ高さ又はドレンパンより下
方に配置されるので、ドレンパンから溢れた冷媒ガスを検出できる。また、冷媒ガス検出
センサが、ドレンパンの長手方向外側かつ奥行方向についてドレンパンと異なる位置に配
置されるので、ドレンパンからの凝縮水が冷媒ガス検出センサにかかるのを防止できる。
したがって、冷媒ガス漏れの検出精度を向上しつつ、かつドレンパンからの凝縮水がかか
ることによって冷媒ガス検出センサが故障するのを防止できる。
第１の発明では、冷媒ガスをケース部材の内部に取り込むための開口が下向きなので、
開口が下向きでない場合に比べて、ドレンパンから溢れて室内機の底に滞留した冷媒ガス
を検出しやすい。また、開口が下向きなので、空調空間から吸い込んだプロパンや殺虫剤
などの少量の異ガスを冷媒ガスと誤検出するのを防止できる。
【００１８】
第２の発明では、室内熱交換器等から漏れてドレンパンに達した冷媒ガスが、ドレンパ
ンの底部の傾斜に沿って、冷媒ガス検出センサ側に向かって流れるので、最初に冷媒ガス
が達した位置がどこであっても、冷媒ガス検出センサで冷媒漏れを検出できる。そのため
、冷媒ガス検出センサを複数設けなくて済む。
【００１９】
第３の発明では、冷媒ガス検出センサ側に形成された切欠きから、冷媒ガスが溢れやす
くなるので、冷媒ガス漏れをより検出しやすい。
【００２０】
第４の発明では、冷媒ガス検出センサと電装品箱とを接続するハーネスが、室内熱交換
器から延びた冷媒配管よりも、室内熱交換器の長手方向外側を引き回されるので、室内熱
交換器で生じた凝縮水がハーネスに付着するのを防止できる。その結果、ハーネスに付着
した凝縮水がハーネスを伝わって冷媒ガス検出センサに達し、冷媒ガス検出センサが故障
することが防止される。
【００２１】
【図面の簡単な説明】
【００２２】
【図１】本発明の実施の形態にかかる空気調和機の冷媒回路を示す回路図である。
【図２】図１に示す室内機の斜視図である。
【図３】室内機の正面図である。
【図４】図３に示すIV-IV線断面図である。
【図５】図３に示すV-V線断面図である。
【図６】室内機から前面グリル及び前面パネルを取り外したときの斜視図である。
【図７】室内機から前面グリル及び前面パネルを取り外したときの正面図である。
【図８】（ａ）は、図６に示すドレンパンの平面図であり、（ｂ）は、正面図であり、（ｃ）は、右側面図である。
【図９】室内機の制御ブロックを示す図である。
【図１０】（ａ）は、図５に示す冷媒ガス検出センサから下ハウジングを取り外したときの斜視図であり、（ｂ）は、冷媒ガス検出センサの断面図である。
【図１１】（ａ）は、冷媒ガス検出センサが配置される部分を正面から見た拡大図であり、（ｂ）は、（ａ）から連絡配管の図示を省略した図であり、（ｃ）は、（ｂ）から冷媒ガス検出センサを取り外したときの図である。
【図１２】（ａ）は、冷媒ガス検出センサが、センサ取付部に取り付けられた状態を示す断面図であり、（ｂ）は、冷媒ガス検出センサの取り外しを説明する図である。
【図１３】検出素子とケース開口との位置関係を説明するための図であり、（ａ）は、ケース開口が検出素子よりも下方において水平に配置される場合、（ｂ）は、ケース開口が所定方向に傾斜している場合、（ｃ）は、ケース開口が所定方向と反対方向に傾斜している場合を示す。
【発明を実施するための形態】
【００２３】
以下、図面を参照しつつ本発明に係る空気調和機の実施の形態について説明する。
【００２４】
［空気調和機の全体構成］
図１に示すように、本実施形態の空気調和機は、圧縮機１と、圧縮機１の吐出側が一端
に接続された四路切換弁２と、四路切換弁２の他端に一端が接続された室外熱交換器３と
、室外熱交換器３の他端に一端が接続された電動膨張弁４と、電動膨張弁４の他端に閉鎖
弁１２、連絡配管Ｌ１を介して一端が接続された室内熱交換器５と、室内熱交換器５の他
端に閉鎖弁１３、連絡配管Ｌ２、四路切換弁２を介して一端が接続され、他端が圧縮機１
の吸入側に接続されたアキュムレータ６とを備えている。上記の圧縮機１、四路切換弁２
、室外熱交換器３、電動膨張弁４、室内熱交換器５およびアキュムレータ６で冷媒回路が
構成されている。
【００２５】
また、この空気調和機は、室外熱交換器３の近傍に配置された室外ファン７と、室内熱
交換器５の近傍に配置された室内ファン８とを備えている。上記の圧縮機１、四路切換弁
２、室外熱交換器３、電動膨張弁４、アキュムレータ６、及び室外ファン７は、室外機１
０に配置され、室内熱交換器５、及び室内ファン８は、室内機２０に配置されている。
【００２６】
この空気調和機では、暖房運転時、四路切換弁２を実線の切換え位置に切り換えて、圧
縮機１を起動すると、圧縮機１から吐出された高圧冷媒が四路切換弁２を通って室内熱交
換器５に入る。そして、室内熱交換器５で凝縮した冷媒は、電動膨張弁４で減圧された後
に室外熱交換器３に入る。室外熱交換器３で蒸発した冷媒が四路切換弁２およびアキュム
レータ６を介して圧縮機１の吸入側に戻る。こうして、圧縮機１、室内熱交換器５、電動
膨張弁４、室外熱交換器３およびアキュムレータ６で構成された冷媒回路を冷媒が循環し
て、冷凍サイクルを実行する。そして、室内ファン８により室内熱交換器５を介して室内
空気を循環させることにより室内を暖房する。
【００２７】
これに対して、冷房運転時（除湿運転時を含む）は、四路切換弁２を点線の切換え位置
に切り換えて、圧縮機１を起動すると、圧縮機１から吐出された高圧冷媒が四路切換弁２
を通って室外熱交換器３に入る。そして、室外熱交換器３で凝縮した冷媒は、電動膨張弁
４で減圧された後に室内熱交換器５に入る。室内熱交換器５で蒸発した冷媒が四路切換弁
２およびアキュムレータ６を介して圧縮機１の吸入側に戻る。こうして、圧縮機１、室外
熱交換器３、電動膨張弁４、室内熱交換器５およびアキュムレータ６の順に冷媒が循環す
る冷凍サイクルを実行する。そして、室内ファン８により室内熱交換器５を介して室内空
気を循環させることにより室内を冷房する。
【００２８】
この空気調和機では、可燃性冷媒が使用される。本発明において「可燃性冷媒」とは、
可燃性冷媒のほか微燃性冷媒を含む。この空気調和機では、微燃性冷媒であるＲ３２が用
いられるが、例えばＲ２９０が用いられてもよい。また、この空気調和機では、空気より
も比重が大きい冷媒が使用される。
【００２９】
［室内機］
図２−図４に示すように、室内機２０は、床置き型の室内機であって、室内の壁面に後
面側が取り付けられる略長方形状の底フレーム２１と、底フレーム２１の前面側に取り付
けられ、前面に略長方形状の開口部２２ｃを有する前面グリル２２と、前面グリル２２の
開口部２２ｃを覆うように取り付けられた前面パネル２３とを備えている。この底フレー
ム２１、前面グリル２２、及び前面パネル２３により、ケーシング２０ａが形成されてい
る。
【００３０】
前面グリル２２の上部には、上側吹出口２２ａが設けられ、前面グリル２２の下部には
、下側吹出口２２ｂが設けられている。上側吹出口２２ａに連通する上側吹き出し通路Ｐ
１には、上下方向について上側吹出口２２ａから吹き出される空気流の風向を変更する上
下フラップ２４が設けられている。上下フラップ２４には、フラップモータ２４ａ（図９
参照）が接続されている。上下フラップ２４は、フラップモータ２４ａの駆動により、水
平方向に沿った回転軸の周りを回動可能である。この上下フラップ２４は、冷房運転およ
び暖房運転時には、上側吹出口２２ａから冷風または温風が前方かつ斜め上方に吹き出さ
れる位置まで回動して、その位置で停止する。また、運転停止時は、図２に示すように、
上側吹出口２２ａを閉じる。
【００３１】
一方、下側吹出口２２ｂに連通する下側吹き出し通路Ｐ２内には、下側吹出口２２ｂを
開閉するシャッター３０と、左右方向について下側吹出口２２ｂから吹き出される空気流
の風向を変更する左右フラップ３１が配置されている。シャッター３０には、シャッター
モータ３０ｂが接続されている。シャッター３０は、シャッターモータ３０ｂの駆動によ
り、図４に示すように、水平方向に沿った軸３０ａを中心に回動する。このシャッター３
０は、一点鎖線で示すＡの位置で停止して、下側吹出口２２ｂを開き、一点鎖線で示すＢ
の位置で停止して、下側吹出口２２ｂを閉じる。なお、左右フラップ３１は、手動でフラ
ップの向きが調整されるものである。
【００３２】
また、上記前面パネル２３の上側には、上側吸込口２３ａが設けられ、前面パネル２３
の下側には、下側吸込口２３ｂが設けられ、さらに前面パネル２３の左右の側面には、側
方吸込口２３ｃ（図２では右側のみを示す）が設けられている。
【００３３】
図４に示すように、底フレーム２１の略中央には、ファンモータ２６が固定されている
。このファンモータ２６の軸が接続された室内ファン８が、軸が前後方向になるように底
フレーム２１に配置されている。室内ファン８は、前面側から吸い込んだ空気を軸に対し
て半径方向外側に吹き出すターボファンである。また、底フレーム２１は、室内ファン８
の前面側に形成されたベルマウス２７を有している。そして、ベルマウス２７の前面側に
室内熱交換器５が配置され、その室内熱交換器５の前面側に前面グリル２２が取り付けら
れる。また、その前面グリル２２のさらに前面側に前面パネル２３が取り付けられる。前
面グリル２２の開口部２２ｃには、フィルタ２５が取り付けられている。
【００３４】
この空気調和機では、運転が開始されると、ファンモータ２６が駆動して、室内ファン
８が回転する。そして、室内ファン８の回転によって、上側吸込口２３ａ、下側吸込口２
３ｂ、及び側方吸込口２３ｃから室内機２０の内部に室内空気が吸い込まれて、室内機２
０の内部に吸い込まれた室内空気は、室内熱交換器５で熱交換された後、上側吹出口２２
ａおよび下側吹出口２２ｂからが室内に吹き出される。なお、シャッター３０が、下側吹
出口２２ｂを閉じている場合には、室内機２０の内部に吸い込まれた室内空気は、上側吹
出口２２ａのみから吹き出される。
【００３５】
図５−図７に示すように、室内熱交換器５の下方には、室内熱交換器５で生じた空気中
からの凝縮水を受け取って排水するためのドレンパン２８が配置されている。このドレン
パン２８の周囲は、断熱材４０で覆われている。また、室内熱交換器５の右外側（長手方
向外側）、かつ上方には、電装品箱５０が配置されている。電装品箱５０の下方には、セ
ンサ取付部７０（図１１（ｃ）参照）が配置されており、センサ取付部７０には、冷媒ガ
ス検出センサ９が着脱可能に取り付けられている。この冷媒ガス検出センサ９は、室内熱
交換器５及びドレンパン２８の右外側（長手方向外側）に配置される。図５に示すように
、電装品箱５０は、冷媒ガス検出センサ９から延びたハーネス６８が接続されるハーネス
接続部５２を有している。ハーネス６８は、図５に示すように、室内熱交換器５の長手方
向（左右方向）について、室内熱交換器５から延在し且つ連絡配管Ｌ１、Ｌ２に接続され
る冷媒配管５ａ、５ｂよりも、室内熱交換器５の外側を引き回される。詳しくは、冷媒配
管５ａ、５ｂの外周を覆う断熱材Ｈ（図１１（ａ）参照）よりも、室内熱交換器５の外側
を引き回される。
【００３６】
（ドレンパン）
ドレンパン２８は、図８（ａ）に示すように、底部４１と、底部４１の全周囲から上方
に延在した周壁部４２とを有している。このドレンパン２８は、長手方向について、右端
２８Ｒ近傍（冷媒ガス検出センサ側の端部）に、凝縮水を排水するための排出孔４３を有
している。排出孔４３には、排出ホース４４が接続されている。この排出ホース４４は、
連絡配管Ｌ１、Ｌ２とともに、室外まで延在する。図８（ｂ）に示すように、ドレンパン
２８の底部４１は、左端２８Ｌから右端２８Ｒに向かうにつれて（長手方向について、冷
媒ガス検出センサに近づくにつれて）、下方に傾斜している。したがって、室内熱交換器
５からドレンパン２８に落下した凝縮水は、ドレンパン２８の左端２８Ｌ側から右端２８
Ｒ側に向かって流れて、排出孔４３から排出される。なお、図８（ｂ）では、図の理解を
容易とするために、実際よりもドレンパン２８の底部４１の傾斜を大きく図示している。
また、図８（ｃ）に示すように、ドレンパン２８の周壁部４２のうち、冷媒ガス検出セン
サ９側には、切欠き４５が形成されている。切欠き４５は、詳しくは、ドレンパン２８の
右端２８Ｒ側の側面（周壁部４２の右側面）に形成される。なお、「冷媒ガス検出センサ
側の周壁部」とは、室内熱交換器５の長手方向中央（左右方向中央）よりも冷媒ガス検出
センサ９側の周壁部４２のことを指す。したがって、切欠きは、必ずしも周壁部４２の右
側面に形成される必要はなく、冷媒ガス検出センサ９側の周壁部４２であればどこに形成
されていてもよい。
【００３７】
この空気調和機では、万一、室内熱交換器５内の冷媒配管が破損するなどして、冷媒ガ
スが漏洩した場合、空気より比重の大きい冷媒ガスは下方に流れて、ドレンパン２８に達
する。ドレンパン２８に達した冷媒ガスは、ドレンパン２８の傾斜に沿って左端２８Ｌ側
から右端２８Ｒ側に向かって流れるため、ドレンパン２８に達した冷媒ガスは、長手方向
について冷媒ガス検出センサ９側において、ドレンパン２８から溢れやすく、特に、周壁
部４２に形成された切欠き４５から溢れやすい。溢れた冷媒ガスは、室内機２０の底に滞
留し、室内機２０から外部に漏洩する。
【００３８】
（電装品箱）
電装品箱５０には、制御部５１が収納されており、空気調和機の冷暖房運転等に必要な
各構成部品の制御を行う。この制御部５１は、図９に示すように、ファンモータ２６、冷
媒ガス検出センサ９、フラップモータ２４ａ、シャッターモータ３０ｂを接続しており、
室内ファン８、上下フラップ２４、シャッター３０の制御を行ったり、冷媒ガス検出セン
サ９で検出された冷媒ガスの検出結果に基づいて、冷媒漏れの有無を判断したりする。
【００３９】
（冷媒ガス検出センサ）
冷媒ガス検出センサ９は、漏洩した冷媒ガスを検出するセンサであり、図５に示すよう
に、ドレンパン２８と同じ高さ又はドレンパン２８より下方に配置されている。また、こ
の冷媒ガス検出センサ９は、ドレンパン２８の右外側（長手方向外側）かつドレンパン２
８及び室内熱交換器５よりも奥（後方）に配置されている。
【００４０】
この冷媒ガス検出センサ９は、図１０（ａ）、（ｂ）に示すように、冷媒ガスを検出す
る検出素子６１と、検出素子６１の周囲に配置される筒状（例えば円筒状）のケース部材
６２と、検出素子６１及びケース部材６２が下面に固定されるプリント基板６３と、プリ
ント基板６３の周囲を覆うハウジング６４とを有している。
【００４１】
ケース部材６２は、その下端に、漏洩した冷媒ガスをケース部材６２の内部に取り込む
ためのケース開口（開口）６２ａを有している。ケース開口６２ａには、例えば網目状の
フィルタが取り付けられている。図１０（ｂ）に示すように、ケース開口６２ａは、水平
面に沿って形成されており、ケース開口６２ａの全域が、検出素子６１よりも下方にある
。また、ケース部材６２の上端は、プリント基板６３で塞がれており、冷媒ガスが、ケー
ス開口６２ａ以外からケース部材６２の内部に取り込まれないようになっている。また、
ハウジング６４は、プリント基板６３の周囲かつ上方を覆う第１ハウジング６５と、プリ
ント基板６３の周囲かつ下方、及びケース部材６２を覆う第２ハウジング６６とを有して
いる。第２ハウジング６６の底面には、複数のスリット６６ａが形成されている。この冷
媒ガス検出センサ９では、冷媒ガスが、スリット６６ａ以外からハウジング６４の内部に
取り込まれないようになっている。また、第１ハウジング６５には、後述するネジ（固定
部材）Ｓが通過する孔部６７が形成されている。
【００４２】
ここで、「冷媒ガス検出センサが、ドレンパンと同じ高さに配置される」とは、図１１
（ｂ）に示すように、冷媒ガス検出センサ９のケース開口６２ａが、ドレンパン２８の右
端２８Ｒの上端２８Ｒａと下端２８Ｒｂの間にあることを意味する。また、「冷媒ガス検
出センサが、ドレンパンより下方に配置される」とは、冷媒ガス検出センサ９のケース開
口６２ａが、ドレンパン２８の右端２８Ｒの下端２８Ｒｂよりも下方にあることを意味す
る。また、「冷媒ガス検出センサが、ドレンパンの長手方向外側に配置される」とは、冷
媒ガス検出センサ９のケース開口６２ａが、ドレンパン２８の長手方向外側に配置される
ことを意味する。
【００４３】
図１１及び図１２に示すように、センサ取付部７０は、冷媒ガス検出センサ９を取り付
けるためのネジ孔（センサ固定部）７１と、冷媒ガス検出センサ９の後端部を収容する収
容部７２とを有する。図１２（ａ）に示すように、冷媒ガス検出センサ９がセンサ取付部
７０に取り付けられた状態においては、冷媒ガス検出センサ９の後端部が、収容部７２に
収容されるとともに、冷媒ガス検出センサ９の孔部６７にネジ（固定部材）Ｓが通過した
状態で、ネジ（固定部材）Ｓがネジ孔（センサ固定部）７１に螺合されている。
【００４４】
この冷媒ガス検出センサ９では、冷媒ガス検出センサ９がセンサ取付部７０から取り外
される際には、まず、ネジ（固定部材）Ｓがネジ孔（センサ固定部）７１から前方向（固
定部材が抜かれる方向（図１２（ａ）参照））に抜かれたあと、冷媒ガス検出センサ９が
、センサ取付部７０に対して、前方向（冷媒ガス検出センサの取り外し方向（図１２（ａ
）参照））に所定距離（所定のスライド範囲）スライドされることによって取り外される
。
【００４５】
この室内機２０では、図５−図７及び図１１（ａ）に示すように、冷媒ガス検出センサ
９の取り外し方向に配置された前面グリル２２及び前面パネル２３（ケーシング２０ａ）
が開いた状態（取り外された状態）において、冷媒ガス検出センサ９の取り外し方向に、
冷媒ガス検出センサ９の取り外しを規制する連絡配管（規制部材）Ｌ１、Ｌ２が配置され
ている。したがって、サービスマンやユーザ等が、前面グリル２２及び前面パネル２３（
ケーシング２０ａ）を取り外して、室内機２０をメンテナンスする場合、誤って冷媒ガス
検出センサ９を取り外そうとしても、連絡配管Ｌ１、Ｌ２が邪魔になって、冷媒ガス検出
センサ９を容易に取り外すことができないようになっている。
【００４６】
この連絡配管Ｌ１、Ｌ２は、室内熱交換器５から延びた冷媒配管５ａ、５ｂに接続され
る連絡配管（冷媒配管）であって、室内機２０の下方に引き回された後で、室内機２０の
後方に引き回されて、室外機１０側に延在している。２本の連絡配管Ｌ１、Ｌ２は、例え
ば１つの断熱材Ｈによって、覆われている。このように、２本の連絡配管Ｌ１、Ｌ２は、
断熱材Ｈに覆われているので、連絡配管Ｌ１、Ｌ２が剥き出しの場合に比べて、手やドラ
イバーで、冷媒ガス検出センサ９やネジＳに触れにくいので、より冷媒ガス検出センサ９
を取り外しにくくなっている。なお、２本の連絡配管は、それぞれ別の断熱材で覆われて
いてもよく、その場合でも、同様の効果が得られる。
【００４７】
また、図５に示すように、冷媒配管５ａ、５ｂに接続される連絡配管Ｌ１、Ｌ２の接続
部Ｌ１ａ、Ｌ２ａは、冷媒ガス検出センサ９よりも上方に配置される。サービスマンやユ
ーザ等は、冷媒回路を流れる冷媒を抜いて、連絡配管Ｌ１、Ｌ２を冷媒配管５ａ、５ｂか
ら取り外したあとでなければ、冷媒ガス検出センサ９を取り外すことができないようにさ
れている。
【００４８】
ここで、「冷媒ガス検出センサの取り外し方向」とは、固定部材を介して冷媒ガス検出
センサがセンサ固定部に固定されるものにおいては、固定部材が抜かれる方向を意味する
。したがって、センサ固定部に固定された固定部材が抜かれると、冷媒ガス検出センサが
下方に落下するものであっても、「冷媒ガス検出センサの取り外し方向」は、固定部材が
抜かれる方向となる。また、冷媒ガス検出センサの取り外し方向に冷媒ガス検出センサが
スライドするものにおいては、「冷媒ガス検出センサの取り外し方向」は、そのスライド
方向を意味する。また、本実施形態のように、固定部材を介して冷媒ガス検出センサがセ
ンサ固定部に固定され、かつ、冷媒ガス検出センサの取り外し方向に冷媒ガス検出センサ
がスライドするものにおいては、「冷媒ガス検出センサの取り外し方向」は、固定部材が
抜かれる方向、および、冷媒ガス検出センサのスライド方向となる。ただし、本実施形態
では、固定部材が抜かれる方向、および、冷媒ガス検出センサのスライド方向は、いずれ
も前方向であるため、「冷媒ガス検出センサの取り外し方向」は、前方向である。なお、
例えば、固定部材が抜かれる方向と冷媒ガス検出センサのスライド方向とが異なる場合に
は、その２つの方向が、「冷媒ガス検出センサの取り外し方向」である。
【００４９】
また、「規制部材」は、冷媒ガス検出センサの取り外しを規制するものであるため、冷
媒ガス検出センサの取り外しを規制する位置に配置される必要がある。本実施形態では、
規制部材である連絡配管Ｌ１、Ｌ２は、図１１（ａ）に示すように、冷媒ガス検出センサ
９がセンサ取付部７０に取り付けられた状態において、正面視で冷媒ガス検出センサ９と
重なる位置であって、かつ、冷媒ガス検出センサ９のスライド範囲内（図１２（ｂ）参照
）に配置されている。また、連絡配管Ｌ１、Ｌ２は、ネジＳがネジ孔７１に螺合された状
態において、ドライバーでネジＳを抜くのを妨害する位置、すなわち、正面視においてネ
ジＳに重なる位置またはその近傍であって、かつ、ネジＳと連絡配管Ｌ１、Ｌ２との距離
がドライバーの長さの範囲内となるように配置されている。
【００５０】
［本実施形態の空気調和機の室内機の特徴］
本実施形態の空気調和機の室内機２０には、以下の特徴がある。この室内機２０では、
冷媒ガス検出センサ９が、ドレンパン２８と同じ高さ又はドレンパン２８より下方に配置
されるので、ドレンパン２８から溢れた冷媒ガスを検出できる。また、冷媒ガス検出セン
サ９が、ドレンパン２８の長手方向外側かつ奥行方向についてドレンパン２８と異なる位
置に配置されるので、ドレンパン２８からの凝縮水が冷媒ガス検出センサ９にかかるのを
防止できる。したがって、冷媒ガス漏れの検出精度を向上しつつ、かつドレンパン２８か
らの凝縮水がかかることによって冷媒ガス検出センサ９が故障するのを防止できる。
【００５１】
また、本実施形態の空気調和機の室内機２０では、室内熱交換器５等から漏れてドレン
パン２８に達した冷媒ガスが、ドレンパン２８の底部４１の傾斜に沿って、冷媒ガス検出
センサ９側に向かって流れるので、最初に冷媒ガスが達した位置がどこであっても、冷媒
ガス検出センサ９で冷媒漏れを検出できる。そのため、冷媒ガス検出センサ９を複数設け
なくて済む。
【００５２】
また、本実施形態の空気調和機の室内機２０では、冷媒ガス検出センサ９側に形成され
た切欠き４５から、冷媒ガスが溢れやすくなるので、冷媒ガス漏れをより検出しやすい。
【００５３】
また、本実施形態の空気調和機の室内機２０では、冷媒ガス検出センサ９と電装品箱５
０とを接続するハーネス６８が、室内熱交換器５から延びた冷媒配管５ａ、５ｂよりも、
室内熱交換器５の長手方向外側を引き回されるので、室内熱交換器５で生じた凝縮水がハ
ーネス６８に付着するのを防止できる。その結果、ハーネス６８に付着した凝縮水がハー
ネス６８を伝わって冷媒ガス検出センサ９に達し、冷媒ガス検出センサ９が故障すること
が防止される。
【００５４】
また、本実施形態の空気調和機の室内機２０では、冷媒ガスをケース部材６２の内部に
取り込むためのケース開口（開口）６２ａが下向きなので、ケース開口（開口）６２ａが
下向きでない場合に比べて、ドレンパン２８から溢れて室内機２０の底に滞留した冷媒ガ
スを検出しやすい。また、ケース開口（開口）６２ａが下向きなので、空調空間から吸い
込んだプロパンや殺虫剤などの少量の異ガスを冷媒ガスと誤検出するのを防止できる。
【００５５】
以上、本発明の実施形態について図面に基づいて説明したが、具体的な構成は、これら
の実施形態に限定されるものでないと考えられるべきである。本発明の範囲は、上記した
実施形態の説明ではなく特許請求の範囲によって示され、さらに特許請求の範囲と均等の
意味及び範囲内でのすべての変更が含まれる。
【００５６】
上述の実施形態では、冷媒ガス検出センサ９がドレンパン２８よりも奥（後方）に配置
される場合について説明したが、冷媒ガス検出センサは、奥行方向についてドレンパンと
異なる位置であればどこでもよく、例えばドレンパンよりも前に配置されてもよい。また
、例えば室内熱交換器が前側熱交換器と後側熱交換器とに分かれた逆Ｖ字状の断面形状を
有しており、前側熱交換器の下方に配置されるドレンパンと、後側熱交換器の下方に配置
されるドレンパンの２つのドレンパンを有している場合、冷媒ガス検出センサ９が、奥行
方向について、２つのドレンパンの間に配置されてもよい。
【００５７】
また、上述の実施形態では、冷媒ガス検出センサ９が、ドレンパン２８と同じ高さに配
置される場合について説明したが、冷媒ガス検出センサは、ドレンパンよりも下方に配置
されてもよい。
【００５８】
また、上述の実施形態では、ドレンパン２８の底部４１が、長手方向について、冷媒ガ
ス検出センサ９に近づくにつれて下方に傾斜している場合について説明したが、ドレンパ
ンの底部は水平であってもよい。
【００５９】
また、上述の実施形態では、長手方向について、冷媒ガス検出センサ９側の周壁部４２
に、切欠き４５が形成される場合について説明したが、切欠き４５がなくてもよい。
【００６０】
また、上述の実施形態では、ハーネス６８が、室内熱交換器５から延びた冷媒配管５ａ
、５ｂよりも、室内熱交換器５の長手方向外側を引き回される場合について説明したが、
冷媒配管５ａ、５ｂよりも、室内熱交換器５の長手方向外側を引き回されていなくてもよ
い。
【００６１】
また、上述の実施形態では、冷媒ガスを内部に取り込むためのケース開口（開口）６２
ａが、検出素子６１よりも下方において水平に配置される場合、すなわち、ケース開口６
２ａが、図１３（ａ）に示すように、鉛直下向きである場合について説明したが、図１３
（ｂ）、（ｃ）に示すように、ケース開口６２ａの全域が検出素子６１よりも下方にあれ
ば、ケース開口６２ａが斜め下方を向いていてもよい。
【００６２】
また、上述の実施形態では、冷媒ガスを内部に取り込むためのケース開口（開口）６２
ａが、検出素子６１よりも下方にある場合について説明したが、ケース開口６２ａは、検
出素子６１と同じ高さ又は検出素子６１よりも上方にあってもよい。
【００６３】
また、上述の実施形態では、検出素子６１の周囲に配置され且つプリント基板６３に固
定されるケース部材６２を備え、ケース部材６２が、冷媒ガスを内部に取り込むための開
口を有する場合について説明したが、冷媒ガスを内部に取り込むための開口は、どのよう
に構成されていてもよい。
【００６４】
また、上述の実施形態では、電装品箱５０のハーネス接続部５２が、室内熱交換器５の
横に配置されるが、電装品箱のハーネス接続部が、冷媒ガス検出センサとともに室内熱交
換器の長手方向外側かつ奥に配置されてもよい。それにより、電装品箱と冷媒ガス検出セ
ンサとを接続するハーネスが、室内熱交換器よりも奥を引き回されるので、室内熱交換器
で生じた凝縮水がハーネスに付着するのを防止できる。その結果、ハーネスに付着した凝
縮水がハーネスを伝わって冷媒ガス検出センサに達し、冷媒ガス検出センサが故障するこ
とが防止される。
【００６５】
また、上述の実施形態では、室内機が床置き型の室内機である場合を説明したが、室内
機は床置き型以外の室内機であってよいし、壁掛けの室内機であってよい。
【産業上の利用可能性】
【００６６】
本発明を利用すれば、冷媒ガス漏れの検出精度を向上しつつ、かつドレンパンからの凝
縮水がかかることによって冷媒ガス検出センサが故障するのを防止できる。
【符号の説明】
【００６７】
５  室内熱交換器
５ａ、５ｂ  冷媒配管
９  冷媒ガス検出センサ
２０  室内機
２０ａ  ケーシング
２８  ドレンパン
４１  底部
４２  周壁部
４３  排出孔
４５  切欠き
５０  電装品箱
６１  検出素子
６２  ケース部材
６２ａ  ケース開口（開口）
６８  ハーネス
【図１】
0005983707.tif 000002
【図２】
0005983707.tif 000003
【図３】
0005983707.tif 000004
【図４】
0005983707.tif 000005
【図５】
0005983707.tif 000006
【図６】
0005983707.tif 000007
【図７】
0005983707.tif 000008
【図８】
0005983707.tif 000009
【図９】
0005983707.tif 000010
【図１０】
0005983707.tif 000011
【図１１】
0005983707.tif 000012
【図１２】
0005983707.tif 000013
【図１３】
0005983707.tif 000014